(57)【特許請求の範囲】
【請求項１】
上面と、反対側下面と、２つの隣接側面がフロアパネルのコーナー部で隣り合う側面とを有するフロアパネルと；
前記フロアパネルをベースフロア上に前記コーナー部で支持するための支持脚であって、前記ベースフロアに載るためにベースプレートに連結されている下端と、前記フロアパネルの前記コーナー部を支持するために支持柱に連結されている上端とからなるものとから構成され、前記フロアパネルが、前記コーナー部の領域の前記下面に付いたラグであって、該下面に略垂直で前記フロアパネルから離れる方向に延びるラグを備えており、前記支持柱は前記ラグを内部に収容する収容端部を備えている浮床アセンブリであって、前記床パネルは、更にその下面に金属プレートを備え、そして前記ラグはこの金属プレートと一体になっており、
前記支持柱の前記収容端部は概略円筒状の中空部材であり、収容端部の高さを低くするために、収容端部の上部を切り離すことで、当該収容端部の長さを短くすることができることを特徴とする浮床アセンブリ。
【請求項２】
前記ラグは、前記金属プレートのコーナー部の折曲によって形成されている請求項１に記載の浮床アセンブリ。
【請求項３】
前記ラグが第１ラグ部と隣接する第２ラグ部とからなり、前記第１ラグ部が前記フロアパネルの第１側面に実質的に平行な面にあり、前記第２ラグ部が前記フロアパネルの第２側面に実質的に平行な面にあり、前記第２側面が前記第１側面に隣接する請求項２に記載の浮床アセンブリ。
【請求項４】
前記第１及び第２ラグ部が前記フロアパネルの前記第１及び第２側面と同一平面に配置されている請求項３に記載の浮床アセンブリ。
【請求項５】
前記ラグが前記フロアパネルから離れる方向にテーパーを備えている請求項１ないし請求項４に記載の浮床アセンブリ。
【請求項６】
前記収容端部が、１つの支持脚上で隣り合うコーナー部全体のラグを収容するような寸法になっている請求項１ないし請求項５のいずれかに記載の浮床アセンブリ。
【請求項７】
前記シャフトがねじ山と、対応する内部ねじ山を備えたナットとを有し、前記支持柱が前記シャフトに嵌合し前記ナットに載るように設計されている請求項１ないし請求項６のいずれかに記載の浮床アセンブリ。
【請求項８】
前記フロアパネルが補強材要素を備え、前記補強材要素は前記側面に沿って前記フロアパネルの前記下面に配置され、前記フロアパネルから遠ざかるように概略垂直方向に延在する請求項１ないし請求項７のいずれかに記載の浮床アセンブリ。
【請求項９】
前記補強材要素が概略矩形又は三角形の断面を有する請求項８に記載の浮床アセンブリ。
【請求項１０】
前記補強材要素が前記フロアパネルの縁にあるいは前記フロアパネルの縁から少し入った部位配置されている請求項８又は請求項９に記載の浮床アセンブリ。
【請求項１１】
前記補強材要素が前記金属プレートと一体に形成されている請求項１ないし請求項１０のいずれかに記載の浮床アセンブリ。
【請求項１２】
前記補強材要素が前記金属プレートの縁領域の折曲によって形成されている請求項１１記載の浮床アセンブリ。
【請求項１３】
前記金属プレートが、少なくとも１つの押さえタブを備え、それと前記金属プレートとの間で係合状態にあるように前記補強材要素の縁を収容する請求項１ないし請求項１２のいずれかに記載の浮床アセンブリ。
【発明の詳細な説明】
【技術分野】
【０００１】
本発明は浮床アセンブリに関する。
【背景技術】
【０００２】
浮床アセンブリは、通常、商業的用途やオフィスの建物に用いられている。これらの場所では、かなり多くのケーブル、パイプ、ダクトが必要とされ、また設置、変更あるいは除去を容易にするため、後者へのアクセス性を維持することが望ましいからである。浮床アセンブリはベースフロア上方に支持脚で支持されたフロアパネルから基本的になっている。この支持脚は、パネルコーナー部を支持するようになっている。このようにしてケーブルや、パイプやエアコンサービスも、ベースフロアと浮床との間に形成されたチャンバー内に設置され、そして必要とされたフロアパネルを簡単に除去することで容易にアクセス可能である。
支持脚は一般に下端部と上端部を有する円柱から構成され、該下端部はベースフロアへの載置用ベースプレートに連結され、該上端部はフロアパネルを上に収容するための支持プレートに連結されている。
【０００３】
この支持プレートの形状は、特に、浮床アセンブリを補強するのに一般に使用されるストリンガー部材が支持プレートに結合されるようになっていると、非常に複雑なことが多い。そのような支持プレートは例えばＧＢ２２２６０６０に示され、支持プレートがストリンガー部材の対応端部を連結する半径方向タブを有している。支持脚は、ベースフロアに対する浮床の高さを調節できるように、設計されていることが多い。そのような調節はベースフロアの表面に不規則性があるため必要なことが多い。多くの場合、支持脚は、ねじ連結部を介して共に連結された２つの部材から構成されている。一方の部材を他方の部材に対して回転させて、支持脚の微細な高さ調節がなされる。しかし、この設計は一般により実際的な高さ調節を可能とさせるものではない。
【０００４】
一方、複雑な支持プレートを有する支持脚の製造はよりコストが増加することが分かるだろう。さらに、支持プレートの大きさが大きければ大きい程、負荷分散が支持脚の外側部分へと移動するので、その結果、その軸からさらに負荷を移動させることになり、支持脚それ自体にかたよった負荷をもたらす。
【発明の開示】
【発明が解決しようとする課題】
【０００５】
従って、本発明の目的は、上記不具合のない浮床アセンブリを提供することである。
【課題を解決するための手段】
【０００６】
この課題は請求項１に請求された浮床アセンブリで解決される。
この発明は上面と、反対側下面と、２つの隣接側面がフロアパネルのコーナー部で隣り合う側面とを有するフロアパネルを備える浮床アセンブリを提供するものである。この浮床アセンブリは、さらに、前記フロアパネルをベースフロア上方のコーナー部で支持するための支持脚であって、前記ベースフロアに載るためのベースプレートに連結されている下端と、前記フロアパネルの前記コーナー部を支持するための支持柱に連結されている上端とからなる支持脚を備えている。この発明の重要な態様によれば、該フロアパネルが、前記コーナー部の領域の前記下面に付いたラグであって、該下面に略垂直で前記フロアパネルから離れる方向に延びるラグを備えており、前記支持柱は前記ラグを内部に収容する収容端部を備えている。
【０００７】
先行技術のアセンブリと違い、本浮床アセンブリで使用される支持脚は製造するのが容易である。先行技術のアセンブリのように複雑な支持プレートを設ける必要がなく、そのため製造コストが著しく低減される。必要なことは、ラグが支持柱の収容端に収容されることである。浮床アセンブリの取り付けも単純化される。すなわち、複数のフロアパネルがパネル上方のそれらのコーナー部で簡単に配置され、それによりラグが支持柱の収容端に係合する。これにより該浮床アセンブリの取り付けが単純化され早くなり、従って、作業コストが軽減される。さらに、収容端部を所定の大きさに切ることで、支持脚の高さを現場で容易に低くすることができる。また、支持プレートがないため、支持脚にかかる偏った負荷が軽減される。
【０００８】
前記ラグが第１ラグ部と隣接する第２ラグ部とからなり、前記第１ラグ部が前記フロアパネルの第１側面に実質的に平行な面にあり、前記第２ラグ部が前記フロアパネルの第２側面に実質的に平行な面にあり、前記第２側面が前記第１側面に隣接していることが好ましい。従って、この第１及び第２ラグ部は互いにある角度で配置され、それにより該ラグの構造物を補強している。該第１及び第２ラグ部が前記フロアパネルの前記第１及び第２側面と同一平面に配置されていることが好ましい。従って、ラグはフロアパネルのコーナー部の縁に配置されている。しかし、ラグをコーナー部の縁から少し入った所に配置することを排除するものではない。
前記ラグは前記フロアパネルから離れる方向にテーパーを備えることができる。このテーパーは、ラグを支持柱の収容端部にガイドするのでフロアパネルの取り付けが容易になる。
【０００９】
該収容端部が一般に円筒中空部材であるのが有利である。円筒中空部材の断面は、円形、正方形、六角形あるいはその他の都合の良い形状とすることができる。そのような円筒中空部材は、この発明の他の重要な利点をもたらす。支持脚の高さを低くする必要がある場合、これを、該収容端部の先端部を切ることで達成することができる。得られる収容端部は、なお、フロアパネルのラグを中に収容できる円筒中空部材である。従って、支持脚の高さは、取り付け時に現場で非常に容易に低くすることができる。浮床アセンブリの取り付けに種々の高さの支持脚を用意する必要がない。取り付け現場の高精度の調査は最早不要であり、輸送、取り扱いや保管コストの節約を行うことができる。
前記収容端部が、１つの支持脚上で隣り合うコーナー部全体のラグを収容するような寸法に好適になっている。
【００１０】
前記シャフトがねじ山と、対応する内部ねじ山を備えたナットとを有し、前記支持柱が該シャフトに嵌合し前記ナットに載るように設計されているのが好ましい。支持脚の高さ調節が必要であれば、ナットをシャフト周囲に回すことができ、それによりナットをシャフト上下に動かす。支持柱がナットに載置するように設計されているため、その位置も変更され、それにより支持脚の高さが調節される。ナットによる高さ調節は、高さを微調整するため、例えばベースフロアの小さなでこぼこ補償するのに好適に使用される。支持柱の下端は、シャフトと係合させるためにテーパーを付けることができる。また同じ目的のために、プラスチックあるいは金属のバックル形態を、支持柱の下端内部に固定することができる。
フロアパネルを補強するため。該フロアパネルが前記下面上に金属プレートから構成することができる。
【００１１】
この発明の好ましい実施形態によれば、前記フロアパネルが補強材要素を備え、該補強材要素は前記側面に沿って該フロアパネルの前記下面に配置され、該フロアパネルから遠ざかるように概略垂直方向に延在している。そのような補強材要素はフロアパネルの側面に沿って構造補強材となる。この構造補強材はフロアパネルに対しさらなる剛性と、フロアアセンブリに対し大きな安定性を付与する。先行技術のアセンブリでは、ストリンガー部材（横桁）が、フロアパネル取り付け前に支持脚に結合されて構造補強を提供している。そのようなストリンガー部材の取り付けは時間がかかる。そのようなストリンガー部材の必要性が補強材要素によってなくなる。本アセンブリでは、補強材要素がフロアパネルに連結され、それにより構造補強がフロアパネルの取り付けにより付与される。取り付け時間と浮床アセンブリのコストが先行技術のアセンブリに対しかなり短縮、低減されることが分かるだろう。
【００１２】
前記補強材要素は概略矩形又は三角形の断面を有することができる。
該補強材要素はフロアパネルの縁にあるいはフロアパネルの縁から少し入った所に配置することができる。該補強材要素をフロアパネルの縁から少し入った所に配置することによって、該補強材要素により、ラグが支持脚の支持柱の収容端部に挿入することを邪魔しないようにすることができる。
好ましくは前記補強材要素及び／又は前記ラグが金属支持体と一体に好適に形成されている。また、該補強材要素及び／又はラグを金属支持体に溶接することができる。前記補強材要素及び／又は前記ラグを金属支持体に結合することで、補強構造体を達成することができる。
【００１３】
本発明の実施形態によれば、前記金属支持体が、少なくとも１つの押さえタブを備え、これと前記金属プレートとの間で係合状態にある前記補強材要素の縁を収容するようになっている。少なくとも１つの押さえタブが金属プレートと一体に形成されることが好ましい。該補強材要素の縁が複数の押さえタブに係合されることが有利である。
本発明を添付図面を参照して実施例によりここで説明する。
【発明を実施するために最良の形態】
【００１４】
本発明に係る浮床アセンブリのフロアパネルと支持脚を図１に示す。そのような浮床アセンブリは、１枚のみが図１に図示されたベースフロア１０を有し、それは浮床との間にチャンバーを形成して、ケーブル、パイプあるいはエアコンサービスを取付けることができるようになっている。このフロアパネル１０は一般に正方形あるいは矩形であり、上面１４と、反対側の下面１６と側面１８，１８’とを有し、この側面１８，１８’はフロアパネル１０のコーナー部で隣り合うようになっている。支持脚１２はそのコーナー部２０でフロアパネル１０を支持するように設計されている。４枚の別個のフロアパネル１０の４つのコーナーが１つの支持脚上で隣り合う。
【００１５】
支持脚１２は、上端２４と下端２６とを備えたシャフト２２を備えている。シャフト２２の下端２６はベースフロアに載置するためのベースプレート２８に堅固に結合されている。シャフト２２の上端２４は、フロアパネル１０のコーナー部３０を支持するために上に支持柱３０を受けるように設計されている。支持柱３０の下端３２がシャフト２２の上端に係合する。支持柱３０の収容端部３４がフロアパネル１０のコーナー部２０を支持する。
フロアパネル１０は、コーナー部２０の下面１６に、支持柱３０の収容端部３４に係合するように設計されたラグ３６を備えている。この収容端部３４は内部にラグ３６を収容する中空円筒として好適に設計されている。この円筒収容端部の断面が円形、正方形、六角形又は他の全ての都合のよい形状とすることができることが分かるだろう。
【００１６】
ラグ３６は、図１のフロアパネル１０のコーナー部２０の拡大図である図２により明確に示されている。このラグ３６は、例えば、側面１８と実質的に同一面である第１ラグ部３８と、側面１８’と実質的に同一面である第２ラグ部３８’とから構成されている。正方形又は矩形のフロアパネル１０の場合、２つのラグ部３８，３８’は互いに直角である。支持柱３０の収容端部３４にあるラグ３６の係合を容易にするため、ラグ部３８，３８’は、フロアパネル１０の下面１６から遠ざかる方向にテーパーを備えている。また、収容端部３４において、ラグ３６の係合を提供するためには、ラグ３６を種々の形状にすることもできる。
【００１７】
図３では、ラグ３６が、支持柱３０の円筒状収容端部３４と係合した状態で示されている。この収容端部３４は、１つの支持脚全面で隣り合うコーナー部全体のラグを収容するように設計されている。図４には、例えば、フロアパネル１０，１０’，１０”のコーナー部が、それらのラグ３６，３６’，３６”が支持柱３０の収容端部３４に係合した状態で、示されている。
先の図３を参照して、支持柱３０のシャフト２２への取り付けを説明することができる。シャフト２２は、ねじ山、と対応する内部ねじ山を備えたナット４０を備えている。支持柱３０の下端３２は、シャフト２２の上端２４に係合するように設計されている。下端３２は、例えば、シャフト２２のねじ山に対応する内部ねじ山を備えることができる。係合状態にあれば、支持柱３０の下端３２の下面４２はナット４０の上面４４に載る。ナット４０を回すことで、つまりはシャフト２２上のナット４０の位置を調節することによって、支持脚１２の高さを調節することができる。ナット４０による高さ調節が、特に微調整を行うために可能となる。かなり低くする必要があれば、例えば支持脚がベースフロアの高くなった部分に載る場合、支持柱３０の収容端部３４を短くすることができる。収容端部３４の上部は、例えば図３に示したように切断線４５に沿って簡単に切り離すことができる。これは現場で容易に実施することが可能であり、それにより、異なった大きさの支持脚を設置する必要がないので浮床アセンブリの設置が単純となる。
【００１８】
フロアパネル１０用の他の支持体が必要な場合、このような支持体は従来では隣接支持脚間に連結されたストリンガー部材で提供されていたものであるが、補強材要素４６，４６’ がフロアパネル１０の側面１８，１８’ に沿って延在してフロアパネル１０を構造的に補強している。
【００１９】
図５ないし図８に示したように、補強材要素４６，４６’をフロアパネル１０の下面１６に取り付けられた金属プレート４８に連結することができる。補強材要素４６は金属プレート４８と一体で形成されるのが好ましい。金属プレート４８の端部領域５０を折り曲げて補強材要素４６を形成することができる。この端部領域５０の縁５２を、フロアパネル１０の下面側にある金属プレート４８の下面５４に溶接することができる。補強材要素４６を、図５あるいは図８に示したようにフロアパネル１０の縁部に、あるいは図６、図７に示したように少し入った位置に配置することができる。また、補強材要素４６，４６’ は金属プレート４８に溶接された別個の要素とすることもできる。
【００２０】
補強材要素４６は、図５、図６あるいは図８に示したように一般に三角形の断面、あるいは、図７に示したように一般に矩形の断面を有するように形成することができる。多くの他の形状が可能であることが分かるだろう。
また、ラグ３６が、一体で形成されるか溶接されるかされて、金属プレート４８に好適に連結されることが分かるだろう。これにより該アセンブリの強度が増大する。
【００２１】
金属プレート４８は一つ以上の押さえタブ５６を有することができ、押さえタブ５６と金属プレート４８との間の係合状態にある補強材４６の縁５２を受け入れる。そのような閉鎖タブ５６は図８と図９に示されている。この押さえタブ５６は金属プレート４８と一体で形成されることが好ましい。
なお、図に示したように、浮床アセンブリのフロアパネルは、通常、正方形である。しかし、その他あらゆる多角形状のフロアパネルを備えた浮床アセンブリの設計を排除するものではない。
【図面の簡単な説明】
【００２２】
【図１】本発明に係る浮床アセンブリのフロアパネルと支持脚の斜視図である。
【図２】図１のフロアパネルのコーナー部の拡大図である。
【図３】支持脚支持柱上に受けられるフロアパネルの斜視図である。
【図４】支持脚支持柱上に受けられる３つのフロアパネルの斜視図である。
【図５】第１実施形態に係るフロアパネルの端部の断面図である。
【図６】第２実施形態に係るフロアパネルの端部の断面図である。
【図７】第３実施形態に係るフロアパネルの端部の断面図である。
【図８】第４実施形態に係るフロアパネルの端部の断面図である。
【図９】図８のフロアパネルの端部の底面図である。
【符号の説明】
【００２３】
１０，１０’，１０”・・・  フロアパネル
１２  ・・・  支持脚
１４  ・・・  フロアパネルの上面
１６  ・・・  フロアパネルの下面
１８，１８’  ・・・  フロアパネルの側面
２０  ・・・  フロアパネルのコーナー部
２２  ・・・  シャフト
２４  ・・・  シャフトの上端
２６  ・・・  シャフトの下端
２８  ・・・  ベースプレート
３０  ・・・  支持柱
３２  ・・・  支持柱の下端
３４  ・・・  支持柱の収容端
３６，３６’，３６”・・・  ラグ
３８，３８’・・・  ラグ部
４０  ・・・  ナット
４２  ・・・  支持柱の下端の下面
４４  ・・・  ナットの上面
４５  ・・・  切断線
４６，４６’ ・・・  補強材要素
４８  ・・・  金属プレート
５０  ・・・  金属プレートの端部領域
５２  ・・・  端部領域の縁
５４  ・・・  金属プレートの下面
５６  ・・・  押さえタブ
【図１】
0004659735.tif 000002
【図２】
0004659735.tif 000003
【図３】
0004659735.tif 000004
【図４】
0004659735.tif 000005
【図５】
0004659735.tif 000006
【図６】
0004659735.tif 000007
【図７】
0004659735.tif 000008
【図８】
0004659735.tif 000009
【図９】
0004659735.tif 000010